(57)【要約】【課題】多種類の光ディスクに対応してレーザパワーを制御し、この光ディスクに対する再生・記録を柔軟に行うことが可能なレーザ駆動電流制御回路を提供する。【解決手段】本発明に従うレーザ駆動電流制御回路６は、発光モニタ信号を取り込み所望の期間保持し出力するサンプルホールド回路１８、１９、２０と、変調信号に基づいて、駆動電流オン/オフ制御パルス、および、サンプルパルスを生成し出力する記録制御パルス生成回路２２と、サンプルホールド回路１８。１９、２０の出力を補正し所望の値に制御するための信号を出力する複数のＡＰＣフィルタ回路２６、２７、２８と、ライトオン信号に同期して、ＡＰＣフィルタ回路２６、２７、２８の論理を保持させるための信号を出力する保持論理回路３０と、バイアス電圧を保持するバイアス電圧保持回路２９と、を備える。【選択図】図１
2007179700.tif 000002
【特許請求の範囲】
【請求項１】
光ディスクにレーザを照射するレーザ発光素子のレーザ発光パワーを計測するフォトディテクタの出力電流に応じた発光モニタ信号に基づいて、前記レーザ発光素子を駆動するレーザ駆動電流を指示する駆動電流指示信号を出力するとともに、このレーザ駆動電流の出力を制御するためのレーザ駆動電流制御回路であって、
前記発光モニタ信号を取り込み所望の期間保持し出力するサンプルホールド回路と、
前記光ディスクのマーク・スペースを規定する変調信号に基づいて、レーザ駆動電流の出力を所望のタイミングで制御するための駆動電流オン/オフ制御パルス、および、所望のタイミングで前記サンプルホールド回路を制御するためのサンプルパルスを生成し出力する記録制御パルス生成回路と、
前記サンプルホールド回路の出力信号を所望の値に補正して信号を出力する複数の自動パワー制御フィルタ回路と、
前記光ディスクに対する記録再生動作を規定するライトオン信号に同期して、前記自動パワー制御フィルタ回路の論理を保持させるための信号を出力する保持論理回路と、
前記レーザ駆動電流を調整するための固定されたバイアス電圧を保持するバイアス電圧保持回路と、を備え、
前記自動パワー制御フィルタ回路は、前記保持論理回路の出力信号に基づいて論理を保持し、
前記自動パワー制御フィルタ回路の出力信号と前記バイアス電圧保持回路に保持された  前記バイアス電圧信号それぞれに基づいて前記レーザ駆動電流を指示する複数の駆動電流指示信号を出力する
ことを特徴とするレーザ駆動電流制御回路。
【請求項２】
光ディスクにレーザを照射するレーザ発光素子のレーザ発光パワーを計測するフォトディテクタの出力電流に応じた発光モニタ信号に基づいて、前記レーザ発光素子を駆動するレーザ駆動電流を指示する駆動電流指示信号を出力するとともに、このレーザ駆動電流の出力を制御するためのレーザ駆動電流制御回路であって、
前記発光モニタ信号を取り込み所望の期間保持するサンプルホールド回路と、
前記光ディスクのマーク・スペースを規定する変調信号に基づいて、レーザ駆動電流の出力を所望のタイミングで制御するための駆動電流オン/オフ制御パルス、および、所望のタイミングで前記サンプルホールド回路を制御するための制御パルスを生成し出力する記録制御パルス生成回路と、
前記サンプルホールド回路の出力信号を所望の値に収束させる為の制御データを出力する複数の自動パワー制御フィルタ回路と、
前記レーザ駆動電流を調整するための固定されたバイアス電圧を保持するバイアス電圧保持回路と、
複数の前記自動パワー制御フィルタ回路の出力信号または前記バイアス電圧保持回路に保持された前記バイアス電圧信号を切り替えて出力する複数の出力選択回路と、
複数の前記出力選択回路のそれぞれの出力をそれぞれ所望の倍率で出力する複数の倍率設定回路と、を備え、
複数の前記倍率設定回路の出力それぞれに基づいて前記レーザ駆動電流を指示する複数の駆動電流指示信号を出力する
ことを特徴とするレーザ駆動電流制御回路。
【請求項３】
光ディスクにレーザを照射するレーザ発光素子のレーザ発光パワーを計測するフォトディテクタの出力電流に応じた発光モニタ信号に基づいて、前記レーザ発光素子を駆動するレーザ駆動電流を指示する駆動電流指示信号を出力するとともに、このレーザ駆動電流の出力を制御するためのレーザ駆動電流制御回路であって、
前記発光モニタ信号を取り込み所望の期間保持するサンプルホールド回路と、  前記光ディスクのマーク・スペースを規定する変調信号に基づいて、レーザ駆動電流の出力を所望のタイミングで制御するための駆動電流オン/オフ制御パルス、および、所望のタイミングで前記サンプルホールド回路を制御するための制御パルスを生成し出力する記録制御パルス生成回路と、
前記サンプルホールド回路の出力信号を所望の値に収束させる為の制御データを出力する複数の自動パワー制御フィルタ回路と、
前記光ディスクに対する記録再生動作を規定するライトオン信号に同期して、前記自動パワー制御フィルタ回路の出力を切り替えるための切替信号を出力する選択論理回路と、
前記切替信号に基づいて前記自動パワー制御フィルタ回路の出力を切替て出力する切替回路と、
前記レーザ駆動電流を調整するための固定されたバイアス電圧を保持するバイアス電圧保持回路と、を備え、
前記切替回路の出力信号と前記バイアス電圧保持回路に保持された前記バイアス電圧信号それぞれに基づいて前記レーザ駆動電流を指示する複数の駆動電流指示信号を出力する
ことを特徴とするレーザ駆動電流制御回路。
【請求項４】
前記自動パワー制御フィルタ回路は、前記レーザが発光していないときの前記サンプルホールド回路の出力のオフセット電圧を計測し記憶するオフセット回路、前記レーザを発光したときの前記サンプルホールド回路の出力電圧から前記オフセット回路に記憶された前記オフセット電圧を減算しオフセット補正するオフセット補正回路、前記オフセット補正回路により補正された値と基準値を比較し誤差を演算する第１の演算回路、前記第１の演算回路により演算された誤差を積分する積分回路、および、前記積分回路の出力にブースト電圧値を加算して出力する第２の演算回路、を有する
ことを特徴とする請求項１ないし３の何れかに記載のレーザ駆動電流制御回路。
【請求項５】
光ディスクにレーザを照射するためのレーザ発光素子と、
前記レーザを分割するビームスプリッタと、
分割された前記レーザの一部を前記光ディスクに照射する対物レンズと、
分割された前記レーザの一部を受光し、前記レーザ発光素子のレーザ発光パワーを計測するためのフォトディテクタと、
前記フォトディテクタの出力電流を発光モニタ信号に変換するＩＶ変換回路と、
前記発光モニタ信号に基づいて、前記レーザ発光素子を駆動するレーザ駆動電流を指示する駆動電流指示信号を出力するとともに、このレーザ駆動電流の出力を制御するための請求項１ないし４の何れかに記載の前記レーザ駆動電流制御回路と、
前記レーザ駆動電流制御回路を制御し複数の所望の駆動電流指示信号を出力させるシステムコントローラと、
複数の前記駆動電流指示信号それぞれを複数のレーザ駆動電流に変換するＶＩ変換回路と、
前記レーザ駆動電流制御回路の記録制御パルス生成回路が出力する駆動電流オン/オフ制御パルスに従って、複数のレーザ駆動電流をオン/オフする複数のスイッチ回路と、
前記スイッチ回路を介して出力されたレーザ駆動電流を加算し、前記レーザ発光素子に出力する加算器と、を備える
ことを特徴とする光ディスク装置。
【発明の詳細な説明】
【技術分野】
【０００１】
本発明は、光ディスクに照射するレーザパワーを制御するためのレーザ駆動電流制御回路およびこのレーザ駆動電流制御回路を備えた光ディスク装置に関する。
【背景技術】
【０００２】
従来の光ディスク装置は、各種の光ディスク媒体を判別して、各メディアに対応した再生および記録のための制御を行う。例えば、再生専用のＣＤ−ＲＯＭ、ＤＶＤ−ＲＯＭ、追記型のＣＤ−Ｒ、ＤＶＤ±Ｒ、書き換え可能なＣＤ−ＲＷ、ＤＶＤ±ＲＷ、ＤＶＤ−ＲＡＭ等は、レーザダイオードの読み出しパワー、消去パワー、記録パワーがそれぞれ異なり、光ディスク装置はこのレーザダイオードの駆動電流を制御する必要がある。
【０００３】
従来の光ディスク装置には、例えば、装填された各種の光ディスク媒体を判別し、各媒体に応じて自動的に記録（および再生）転送レートの設定手段、およびディスク回転速度の設定手段を備えるものがある（例えば、特許文献１参照。）。
【０００４】
このような構成を採用することにより、装填する記録メディアに応じて、適した記録再生転送レート（および回転速度）を自動的に設定し、映像情報の高速記録再生およびシステムの省電力化を図るものである。
【０００５】
ここで、既述のように、光ディスクメディア規格は多種類に及び、記録するためのレーザ発光パターンは規格によって異なる。また、同一規格内であってもメディア種類（一回記録メディア、繰り返し記録メディア）によってもレーザ発光パターンが異なる。さらには、記録速度によってもレーザ発光パターンが異なる。
【０００６】
しかし、上記従来技術では、レーザパワーの制御を行うものではなく、これら多種多様なレーザ発光パターンに応じたレーザパワー制御を行うことができないという問題があった。
【特許文献１】特開２００３−１４１７３５号公報
【発明の開示】
【発明が解決しようとする課題】
【０００７】
本発明は、多種類の光ディスクに対応してレーザパワーを制御し、この光ディスクに対する再生・記録を柔軟に行うことが可能なレーザ駆動電流制御回路を提供することを目的とする。
【課題を解決するための手段】
【０００８】
本発明に係るレーザ駆動電流制御回路は、光ディスクにレーザを照射するレーザ発光素子のレーザ発光パワーを計測するフォトディテクタの出力電流に応じた発光モニタ信号に基づいて、前記レーザ発光素子を駆動するレーザ駆動電流を指示する駆動電流指示信号を出力するとともに、このレーザ駆動電流の出力を制御するためのレーザ駆動電流制御回路であって、前記発光モニタ信号を取り込み所望の期間保持し出力するサンプルホールド回路と、前記光ディスクのマーク・スペースを規定する変調信号に基づいて、レーザ駆動電流の出力を所望のタイミングで制御するための駆動電流オン/オフ制御パルス、および、所望のタイミングで前記サンプルホールド回路を制御するためのサンプルパルスを生成し出力する記録制御パルス生成回路と、前記サンプルホールド回路の出力信号を所望の値に収束させる為の制御データを出力する複数の自動パワー制御フィルタ回路と、前記光ディスクに対する記録再生動作を規定するライトオン信号に同期して、前記自動パワー制御フィルタ回路の論理を保持させるための信号を出力する保持論理回路と、前記レーザ駆動電流を調整するための固定されたバイアス電圧を保持するバイアス電圧保持回路と、を備え、前記自動パワー制御フィルタ回路は、前記保持論理回路の出力信号に基づいて論理を保持し、前記自動パワー制御フィルタ回路の出力信号と前記バイアス電圧保持回路に保持された前記バイアス電圧信号それぞれに基づいて前記レーザ駆動電流を指示する複数の駆動電流指示信号を出力することを特徴とする。
【０００９】
また、もう１つの態様は、光ディスクにレーザを照射するレーザ発光素子のレーザ発光パワーを計測するフォトディテクタの出力電流に応じた発光モニタ信号に基づいて、前記レーザ発光素子を駆動するレーザ駆動電流を指示する駆動電流指示信号を出力するとともに、このレーザ駆動電流の出力を制御するためのレーザ駆動電流制御回路であって、前記発光モニタ信号を取り込み所望の期間保持するサンプルホールド回路と、前記光ディスクのマーク・スペースを規定する変調信号に基づいて、レーザ駆動電流の出力を所望のタイミングで制御するための駆動電流オン/オフ制御パルス、および、所望のタイミングで前記サンプルホールド回路を制御するための制御パルスを生成し出力する記録制御パルス生成回路と、前記サンプルホールド回路の出力信号を所望の値に収束させる為の制御データを出力する複数の自動パワー制御フィルタ回路と、前記レーザ駆動電流を調整するための固定されたバイアス電圧を保持するバイアス電圧保持回路と、複数の前記自動パワー制御フィルタ回路の出力信号または前記バイアス電圧保持回路に保持された前記バイアス電圧信号を切り替えて出力する複数の出力選択回路と、複数の前記出力選択回路のそれぞれの出力をそれぞれ所望の倍率で出力する複数の倍率設定回路と、を備え、複数の前記倍率設定回路の出力それぞれに基づいて前記レーザ駆動電流を指示する複数の駆動電流指示信号を出力することを特徴とする。
【００１０】
さらに、もう１つの態様は、光ディスクにレーザを照射するレーザ発光素子のレーザ発光パワーを計測するフォトディテクタの出力電流に応じた発光モニタ信号に基づいて、前記レーザ発光素子を駆動するレーザ駆動電流を指示する駆動電流指示信号を出力するとともに、このレーザ駆動電流の出力を制御するためのレーザ駆動電流制御回路であって、前記発光モニタ信号を取り込み所望の期間保持するサンプルホールド回路と、前記光ディスクのマーク・スペースを規定する変調信号に基づいて、レーザ駆動電流の出力を所望のタイミングで制御するための駆動電流オン/オフ制御パルス、および、所望のタイミングで前記サンプルホールド回路を制御するための制御パルスを生成し出力する記録制御パルス生成回路と、前記サンプルホールド回路の出力信号を所望の値に収束させる為の制御データを出力する複数の自動パワー制御フィルタ回路と、前記光ディスクに対する記録再生動作を規定するライトオン信号に同期して、前記自動パワー制御フィルタ回路の出力を切り替えるための切替信号を出力する選択論理回路と、前記切替信号に基づいて前記自動パワー制御フィルタ回路の出力を切替て出力する切替回路と、前記レーザ駆動電流を調整するための固定されたバイアス電圧を保持するバイアス電圧保持回路と、を備え、前記切替回路の出力信号と前記バイアス電圧保持回路に保持された前記バイアス電圧信号それぞれに基づいて前記レーザ駆動電流を指示する複数の駆動電流指示信号を出力することを特徴とする。
【発明の効果】
【００１１】
本発明の一態様に係るレーザ駆動電流制御回路によれば、多種類の光ディスクに対応してレーザパワーを制御し、この光ディスクに対する再生・記録を柔軟に行うことができる。
【発明を実施するための最良の形態】
【００１２】
本発明に係る光ディスク装置は、例えば、対象とするメディアに応じてレーザ駆動電流制御回路を任意に組み替えることを可能にすることで、多種類のメディアに対する再生・記録を柔軟に行うものである。
【００１３】
以下、本発明に係る各実施例について図面を参照しながら説明する。
【実施例１】
【００１４】
図１は、本発明の一態様である実施例１に係る光ディスク装置の要部の構成を示す図である。
【００１５】
図１に示すように、光ディスク装置１００は、光ディスク（図示せず）にレーザを照射するためのレーザ発光素子であるレーザダイオード１と、レーザビームを分割するビームスプリッタ２と、分割されたレーザの一部を光ディスクに照射する対物レンズ３と、分割されたレーザの一部を受光し、レーザダイオード１の出射パワーに比例した電流を出力し、レーザダイオード１のレーザ発光パワー（対物レンズ３からディスクに照射されるパワー）を計測するためのフォトディテクタ４と、このフォトディテクタ４の出力電流を発光モニタ信号Ｍに変換するＩＶ変換回路５と、を備えている。
【００１６】
さらに、光ディスク装置１００は、この発光モニタ信号Ｍに基づいて、レーザダイオード１を駆動するレーザ駆動電流を指示する駆動電流指示信号ａ１ないしａ４を出力するとともに、このレーザ駆動電流の出力を制御するためのレーザ駆動電流制御回路６と、このレーザ駆動電流制御回路６を制御し複数の所望の駆動電流指示信号ａ１ないしａ４を出力させるシステムコントローラ７と、複数の駆動電流指示信号ａ１ないしａ４それぞれを複数のレーザ駆動電流Ｉ１ないしＩ４に変換するＶＩ変換回路８、９、１０、１１と、レーザ駆動電流制御回路６が出力する駆動電流オン/オフ制御パルスの制御パルス１ないし４に従って、複数のレーザ駆動電流Ｉ１ないしＩ４をオン/オフする複数のスイッチ回路１２、１３、１４、１５と、これらのスイッチ回路１２、１３、１４、１５を介して出力されたレーザ駆動電流Ｉ１ないしＩ４を加算し、レーザ駆動電流Ｉとしてレーザ発光素子１に出力する加算器１６とを備える。
【００１７】
なお、システムコントローラ７は、光ディスクから読み出された信号や予め設定された条件に基づいて、レーザ駆動電流制御回路６を制御する。
【００１８】
ここで、図２は、レーザダイオード１のレーザ駆動電流Ｉとレーザダイオード１の出射パワーの温度変化との関係を示す図である。
【００１９】
図２に示すように、レーザダイオード１に一定電流を流している場合、温度によって出射パワーが変化する。そこで、レーザ駆動電流制御回路６は出射パワーをモニタして一定パワーに保つようにレーザ駆動電流Ｉを変化させる。
【００２０】
すなわち、レーザ駆動電流制御回路６は、光ディスクにレーザを照射するレーザ発光素子のレーザ発光パワーを計測するフォトディテクタの出力電流に応じた発光モニタ信号Ｍに基づいて、レーザダイオード１を駆動するレーザ駆動電流Ｉ１ないしＩ４を指示する駆動電流指示信号ａ１ないしａ４を出力するとともに、このレーザ駆動電流Ｉの出力を制御する。
【００２１】
そして、このレーザ駆動電流制御回路６は、発光モニタ信号Ｍをピークボトム検波するピークボトム検波回路１７と、このピークボトム検波回路１７により検波された信号を所望の期間保持し出力する第１のサンプルホールド回路１８と、発光モニタ信号Ｍを取り込み所望の期間保持し出力する第２、第３のサンプルホールド回路１９、２０と、変調回路２１が出力する光ディスクのマーク・スペースを規定する変調信号に基づいて、レーザ駆動電流の出力を所望のタイミングで制御するための駆動電流オン/オフ制御パルス、および、所望のタイミングで第１ないし第３のサンプルホールド回路１８、１９、２０を制御するためのマークサンプルパルスおよびスペースサンプルパルスを生成し出力する記録制御パルス生成回路２２とを備えている。
【００２２】
第１のサンプルホールド回路１８は、マークサンプルパルスにより制御されピークボトム検波された信号の光ディスクのマークに相当する部分をサンプルし保持し発光モニタ信号Ｍ１を出力する。
【００２３】
第２のサンプルホールド回路１９には、切替回路１９ａが接続されており、例えば、システムコントローラ７の指示により、マークサンプルパルスまたはスペースサンプルパルスか切り替えて入力される。そして、第２のサンプルホールド回路１９は、マークサンプルパルスにより制御される場合は、発光モニタ信号Ｍの光ディスクのマークに相当する部分をサンプルし保持し発光モニタ信号Ｍ２を出力する。一方、第２のサンプルホールド回路１９は、スペースサンプルパルスにより制御される場合は、発光モニタ信号Ｍの光ディスクのスペースに相当する部分をサンプルし保持し発光モニタ信号Ｍ２を出力する。
【００２４】
第３のサンプルホールド回路２０は、スペースサンプルパルスにより制御され発光モニタ信号Ｍの光ディスクのスペースに相当する部分をサンプルし保持し発光モニタ信号Ｍ３を出力する。
【００２５】
なお、第１ないし第３のサンプルホールド回路１８ないし２０は、アナログ回路である。
【００２６】
さらに、レーザ駆動電流制御回路６は、第１ないし第３のサンプルホールド回路１８ないし２０の出力する発光モニタ信号Ｍ１ないしＭ３をアナログ・デジタル変換するアナログ・デジタルコンバータ２３、２４、２５と、この発光モニタ信号Ｍ１ないしＭ３をアナログ・デジタル変換した出力信号を所望の値に収束させる為の制御データを出力する第１ないし第３の自動パワー制御（ＡＰＣ（Automatic Power Control））フィルタ回路２６、２７、２８と、レーザ駆動電流を調整するための固定されたバイアス電圧を保持するバイアス電圧保持回路２９とを備えている。なお、バイアス電圧保持回路２９は、例えば、システムコントローラ７から指示されたバイアス電圧を保持する。
【００２７】
さらに、レーザ駆動電流制御回路６は、例えば、システムコントローラ７の指示により、光ディスクに対する記録再生動作を規定するライトオン信号に同期して、第１ないし第３のＡＰＣフィルタ回路２６ないし２８の論理を保持させるためのホールド信号を第１ないし第３のＡＰＣフィルタ回路２６ないし２８出力する保持論理回路３０と、例えば、システムコントローラ７の指示により、光ディスクに対する記録再生動作を規定するライトオン信号に同期して、第２、第３のＡＰＣフィルタ回路２７、２８の出力を切り替えるための切替信号を出力する選択論理回路３１と、この切替信号に基づいて第２、第３のＡＰＣフィルタ回路２７、２８の出力を切替て出力する切替回路３２と、を備えている。
【００２８】
なお、既述のライトオン信号は、レーザ駆動電流オン/オフ制御パルスとのタイミングを調整することができるように、記録制御パルス生成回路２２により生成される。
【００２９】
この選択論理回路３１および切替回路３２により、例えば、光ディスクの記録・再生動作に同期して、第２、第３のＡＰＣフィルタ回路２７、２８を切り替えて使用することができ、レーザ駆動電流制御回路６を光ディスクへの記録・再生時のレーザ発光パターン仕様に応じた動作へ組み替えることが可能である。
【００３０】
さらに、レーザ駆動電流制御回路６は、第１ないし第３のＡＰＣフィルタ回路２６ないし２８の出力信号またはバイアス電圧保持回路２９に保持されたバイアス電圧信号を切り替えて出力する複数の出力選択回路３３、３４、３５、３６と、これらの出力選択回路３３ないし３６のそれぞれの出力をそれぞれ所望の倍率（ｋ１、ｋ２、ｋ３、ｋ４）で出力する複数の倍率設定回路３７、３８、３９、４０と、これらの倍率設定回路３７ないし４０の出力信号をそれぞれデジタル・アナログ変換し、駆動電流指示信号ａ１ないしａ４を出力するデジタル・アナログコンバータ４１、４２、４３、４４とを備えている。
【００３１】
この出力選択回路３３ないし３６および複数の倍率設定回路３７ないし４０をシステムコントローラ７により制御することにより、各APCフィルタからの出力信号および、バイアス電流指示信号は任意に設定可能な倍率でレーザ駆動電流指示信号としてＶＩ変換回路８ないし１１に出力される。そして、出力選択回路３３ないし３６、倍率設定回路３７ないし４０、および、スイッチ回路１２ないし１５を制御することにより、様々な光ディスクへの記録・再生時のレーザ発光パターン仕様に対応した発光パターンでレーザダイオード１がレーザを出力するように、レーザ駆動電流Ｉを制御することができる。
【００３２】
ここで、既述のＡＰＣフィルタ回路の詳細な構成の一例について説明する。図３は、図１のＡＰＣフィルタ回路の要部構成およびシステムコントローラを示す図である。なお、ここでは、第１のＡＰＣフィルタ回路２６について説明するが、第２、第３のＡＰＣフィルタ回路２７、２８も同様の構成である。
【００３３】
図３に示すように、第１のAPCフィルタ回路２６は、サンプルホールド回路１８の出力（発光モニタ信号Ｍ１をアナログ・デジタル変換した信号）が入力される入力部２６ａと、システムコントローラ７によりスイッチ回路２６ｂおよびローパスフィルタ回路２６ｃが制御されレーザが発光していないときのサンプルホールド回路１８の出力のオフセット電圧を計測し記憶するオフセット回路２６ｄと、レーザを発光したときのサンプルホールド回路１８の出力（発光モニタ信号Ｍ１をアナログ・デジタル変換した信号）からオフセット回路２６ｄに記憶されたオフセット電圧を減算しオフセット補正するオフセット補正回路２６eとを有する。
【００３４】
なお、例えば、オフセット回路２６ｄは、レーザが発光していないときはシステムコントローラ７によりスイッチ回路２６ｂがオンされて、入力されるオフセット電圧を計測し記憶する。一方、レーザが発光しているときはシステムコントローラ７によりスイッチ回路２６ｂがオフされ、オフセット回路２６ｄには新たな信号が入力されない。
【００３５】
さらに、第１のＡＰＣフィルタ回路２６は、オフセット補正回路２６eにより補正された値と基準値保持回路２６ｆに保持された基準値と比較し誤差を演算する第１の演算回路２６ｇと、この第１の演算回路２６ｇにより演算された誤差を積分する積分回路２６ｈと、この積分回路２６ｈの出力にブースト電圧値保持回路２６iに保持されたブースト電圧値を加算して出力する第２の演算回路２６ｊと、この第２の演算回路２６ｊの出力を出力選択回路３３ないし３６に出力する出力部２６ｋとを有する。
【００３６】
システムコントローラ７は、目標値となる基準値を基準値保持回路２６ｆに保持させ所望の倍率で第１の演算回路２６ｇに出力させる。また、システムコントローラ７は、ブースト電圧値保持回路２６iにブースト電圧値を保持させるとともに、積分回路２６ｈの出力およびブースト電圧値の出力を所望の倍率で出力させる。
【００３７】
この第１のＡＰＣフィルタ回路２６は、このような構成により発光モニタ信号Ｍ１をアナログ・デジタル変換した信号が所望の値となる様な制御データを出力する。
【００３８】
ここで、例えば、図１のスイッチ回路１２ないし１５がオフの場合、この第１のＡＰＣフィルタ回路２６に関するフィードバックループがオープンとなる。このとき、アナログ回路で構成されるサンプルホールド回路１８ないし２０はホールド状態となるがホールド回路のリーク電流によりホールド電圧は少しずつ変化する。またループがオープンになった場合、フィードバック制御がかからないため目標値との誤差をゼロに近づける制御がかからず、積分回路２６ｈがそのまま積分を継続すると出力部２６ｋから意図しない信号が出力され、入力部２６aのデータが最大または最小値に張り付くこととなる。そこで、既述のホールド信号を入力部２６ａおよび積分回路２６ｈそれぞれに同じタイミングで入力し論理を固定させることにより、出力部２６ｋの出力を、該ホールド信号を入力したタイミングの値に維持することができる。
【００３９】
次に、以上のような構成を有する光ディスク装置１００の発光モニタ信号、レーザ駆動電流、および、レーザ駆動電流制御回路を制御するパルス波形の関係について説明する。
【００４０】
図４は、本発明の一態様である実施例１に係る光ディスク装置のレーザ駆動電流制御回路を組み換えた例１を示す図である。図５は、発光モニタ信号、レーザ駆動電流、および、図４のレーザ駆動電流制御回路を制御するパルス波形（ＤＶＤ±Ｒ低倍速記録に適用した例）を示す図である。
【００４１】
図４に示すように、システムコントローラ７は、出力選択回路３３ないし３６を制御し、第１のＡＰＣフィルタ回路２６の出力が出力選択回路３３に、第３のＡＰＣフィルタ回路２８の出力が出力選択回路３６に、そして、バイアス電圧保持回路２９の出力が出力選択回路３５に入力されるようになっている。なお、第２のＡＰＣフィルタ回路２７の出力は、いずれの出力選択回路によっても選択されていない。
【００４２】
このように、レーザ駆動電流制御回路６の接続を構成することで、マーク位置（ピット）を示すマークサンプルパルスでサンプルホールドした発光モニタ信号M1を第１のＡＰＣフィルタ回路２６で所望の値に補正するための制御データを算出し、レーザ駆動電流Ｉ１を補正するとともに、第３のサンプルホールド回路２０がスペース位置を示すスペースサンプルパルスでサンプルホールドした発光モニタ信号M３を第３のＡＰＣフィルタ回路２８で所望の値に補正するための制御データを算出し、レーザ駆動電流Ｉ４を補正する。なお、これらの補正は、レーザ駆動電流Ｉ３が固定されたバイアス電圧により所望の値に固定されていることを前提になされている（以下の例の場合についても同様である。）。
【００４３】
図５に示すように、ライトオン信号が記録を規定する信号である場合、第３のサンプルホールド回路２０がスペースサンプルパルスに同期して発光モニタ信号Ｍ３をサンプルホールドし、この発光モニタ信号Ｍ３を第３のＡＰＣフィルタ回路２８が所望の値に補正するための制御データを算出し、結果としてレーザ駆動電流Ｉ４が所望の値に補正される。そして、制御パルス３、４がオンであるとき、スイッチ回路１３、１４がオンし、レーザ駆動電流Ｉがレーザ駆動電流Ｉ３、Ｉ４の和として出力される。
【００４４】
さらに、第１のサンプルホールド回路１８がマークサンプルパルスに同期して発光モニタ信号Ｍ１をサンプルホールドし、この発光モニタ信号Ｍ１を第１のＡＰＣフィルタ回路２６が所望の値に補正するための制御データを算出し、結果としてレーザ駆動電流Ｉ１が所望の値に補正される。そして、制御パルス１、３がオンのとき、スイッチ回路１２、１４がオンし、レーザ駆動電流Ｉがレーザ駆動電流Ｉ１、Ｉ３の和として出力される。
【００４５】
一方、ライトオン信号が再生を規定する信号である場合、制御パルス１が定常的にオフとなり、第１のＡＰＣフィルタ回路２６に関するフィードバックループはオープンとなる。このため、再度の記録動作開始時に、第１のＡＰＣフィルタ回路２６が所望の信号（前の記録動作時の定常状態の信号）を出力することができるように、保持論理回路３０は、ライトオン信号が再生を規定する信号に変化するのに同期して、ホールド信号を第１のＡＰＣフィルタ回路２６に出力し、この第１のＡＰＣフィルタ回路２６の論理を保持させる。
【００４６】
なお、制御パルス４は常時オンであるため、第３のＡＰＣフィルタ回路２８のフィードバックループはクローズしているので、第１のＡＰＣフィルタ回路２６の論理は定常状態のままであるので、ホールド信号により論理を保持させる必要はない。
【００４７】
図６は、本発明の一態様である実施例１に係る光ディスク装置のレーザ駆動電流制御回路を組み換えた例２を示す図である。図７は、発光モニタ信号、レーザ駆動電流、および、図６のレーザ駆動電流制御回路を制御するパルス波形（ＤＶＤ±Ｒ高倍速記録に適用した例）を示す図である。
【００４８】
図６に示すように、システムコントローラ７は、出力選択回路３３ないし３６を制御し、第２のＡＰＣフィルタ回路２７の出力が出力選択回路３３、３４に、第３のＡＰＣフィルタ回路２８の出力が出力選択回路３６に、そして、バイアス電圧保持回路２９の出力が出力選択回路３５に入力されるようになっている。なお、第１のＡＰＣフィルタ回路２６の出力は、いずれの出力選択回路によっても選択されていない。また、切替回路１９ａは、マークサンプルパルスが入力されるように、切り替えられている。
【００４９】
このように、レーザ駆動電流制御回路６の接続を構成することで、第２のサンプルホールド回路１９がマーク位置を示すマークサンプルパルスでサンプルホールドした発光モニタ信号Ｍ２を第２のＡＰＣフィルタ回路２７で所望の値に補正するための制御データを算出することによりレーザ駆動電流Ｉ１を補正するとともに、第３のサンプルホールド回路２０がスペース位置を示すスペースサンプルパルスでサンプルホールドした発光モニタ信号M３を第３のＡＰＣフィルタ回路２８で所望の値に補正するための制御データを算出することによりレーザ駆動電流Ｉ４を補正する。
【００５０】
図７に示すように、ライトオン信号が記録を規定する信号である場合、スペースサンプルパルスに同期して発光モニタ信号Ｍ３がサンプルホールドされ、この発光モニタ信号Ｍ３を第３のＡＰＣフィルタ回路２８が所望の値に補正するための制御データを算出し、結果としてレーザ駆動電流Ｉ４が所望の値に補正される。そして、制御パルス３、４がオンであるため、スイッチ回路１４，１５がオンし、レーザ駆動電流Ｉがレーザ駆動電流Ｉ３、Ｉ４の和として出力される。
【００５１】
さらに、マークサンプルパルスに同期して発光モニタ信号Ｍ２がサンプルホールドされ、この発光モニタ信号Ｍ２を第２のＡＰＣフィルタ回路２７が所望の値に補正するための制御データを算出し、結果としてレーザ駆動電流Ｉ１が所望の値に補正される。ここで、レーザ駆動電流Ｉ２は、倍率設定回路３７、３８の倍率ｋ１、ｋ２によりＩ１：Ｉ２＝ｋ１：ｋ２となるように設定される。そして、制御パルス１ないし４がオンのとき、スイッチ回路１２ないし１５がオンし、レーザ駆動電流Ｉがレーザ駆動電流Ｉ１ないしＩ４の和として出力される。なお、この倍率設定回路３７、３８の倍率ｋ１、ｋ２は、例えば、システムコントローラ７により指示される。
【００５２】
一方、ライトオン信号が再生を規定する信号である場合、制御パルス２が定常的にオフとなり、第２のＡＰＣフィルタ回路２７に関するフィードバックループはオープンとなる。このため、例１の場合と同様に、保持論理回路３０は、ライトオン信号が再生を規定する信号に変化するのに同期して、ホールド信号を第２のＡＰＣフィルタ回路２７に出力し、この第２のＡＰＣフィルタ回路２７の論理を保持させる。
【００５３】
なお、制御パルス４は常時オンであるため、第３のＡＰＣフィルタ回路２８のフィードバックループはクローズしているので、例１の場合と同様に、ホールド信号により論理を保持させる必要はない。
【００５４】
図８は、本発明の一態様である実施例１に係る光ディスク装置のレーザ駆動電流制御回路を組み換えた例３を示す図である。図９は、発光モニタ信号、レーザ駆動電流、および、図８のレーザ駆動電流制御回路を制御するパルス波形（ＤＶＤ−ＲＷに適用した例）を示す図である。
【００５５】
図８に示すように、システムコントローラ７は、出力選択回路３３ないし３６を制御し、第１のＡＰＣフィルタ回路２６の出力が出力選択回路３３に、第２のＡＰＣフィルタ回路２７の出力が出力選択回路３４に、第３のＡＰＣフィルタ回路２８の出力が出力選択回路３６に、そして、バイアス電圧保持回路２９の出力が出力選択回路３５に入力されるようになっている。なお、切替回路１９ａは、スペースサンプルパルスが入力されるように、切り替えられている。
【００５６】
このように、レーザ駆動電流制御回路６の接続を構成することで、第１のサンプルホールド回路１８がマーク位置を示すマークサンプルパルスでサンプルホールドした発光モニタ信号M１を第１のＡＰＣフィルタ回路２６で所望の値に補正するための制御データを算出することによりレーザ駆動電流Ｉ１を補正し、第２のサンプルホールド回路１９がスペース位置を示すスペースサンプルパルスでサンプルホールドした発光モニタ信号Ｍ２を第２のＡＰＣフィルタ回路２７で所望の値に補正するための制御データを算出することによりレーザ駆動電流Ｉ２を補正し、第３のサンプルホールド回路２０がスペース位置を示すスペースサンプルパルスでサンプルホールドした発光モニタ信号Ｍ３を第３のＡＰＣフィルタ回路２８で所望の値に補正するための制御データを算出することによりレーザ駆動電流Ｉ４を補正する。
【００５７】
図９に示すように、ライトオン信号が記録を規定する信号である場合、スペースサンプルパルスに同期して発光モニタ信号Ｍ２がサンプルホールドされ、この発光モニタ信号Ｍ２を第２のＡＰＣフィルタ回路２７が所望の値に補正するための制御データを算出し、結果としてレーザ駆動電流Ｉ２が所望の値に補正される。
【００５８】
さらに、マークサンプルパルスに同期して発光モニタ信号Ｍ１がサンプルホールドされ、この発光モニタ信号Ｍ１を第１のＡＰＣフィルタ回路２６が所望の値に補正するための制御データを算出し、結果としてレーザ駆動電流Ｉ１が所望の値に補正される。なお、この補正は、上記補正手段を用いてレーザ駆動電流Ｉ２が所望の値に補正されていることを前提になされている。そして、制御パルス１ないし３がオンのとき、スイッチ回路１２ないし１４がオンし、レーザ駆動電流Ｉがレーザ駆動電流Ｉ１ないしＩ３の和として出力される。
【００５９】
ここで、再生時に使用されるレーザ駆動電流Ｉ４は、記録時には使用されないため、例１の場合と同様に、保持論理回路３０は、ライトオン信号が記録を規定する信号に変化するのに同期して、ホールド信号を第３のＡＰＣフィルタ回路２８に出力し、この第３のＡＰＣフィルタ回路２８の論理を保持させている。
【００６０】
一方、ライトオン信号が再生を規定する信号である場合、制御パルス１、２が定常的にオフとなり、第１、２のＡＰＣフィルタ回路２６、２７に関するフィードバックループはオープンとなる。このため、例１の場合と同様に、保持論理回路３０は、ライトオン信号が再生を規定する信号に変化するのに同期して、ホールド信号を第１、２のＡＰＣフィルタ回路２６、２７に出力し、この第１、２のＡＰＣフィルタ回路２６、２７の論理を保持させる。
【００６１】
ここで、マークサンプルパルスに同期して発光モニタ信号Ｍ３がサンプルホールドされ、この発光モニタ信号Ｍ３を第３のＡＰＣフィルタ回路２８が所望の値に補正するための制御データを算出し、結果としてレーザ駆動電流Ｉ４が所望の値に補正される。そして、制御パルス３、４がオンのとき、スイッチ回路１４、１５がオンし、レーザ駆動電流Ｉがレーザ駆動電流Ｉ３、Ｉ４の和として出力される。
【００６２】
図１０は、本発明の一態様である実施例１に係る光ディスク装置のレーザ駆動電流制御回路を組み換えた例４を示す図である。図１１は、発光モニタ信号、レーザ駆動電流、および、図１０のレーザ駆動電流制御回路を制御するパルス波形（ＤＶＤ−ＲＡＭ）に適用した例）を示す図である。
【００６３】
図１０に示すように、システムコントローラ７は、出力選択回路３３ないし３６を制御し、第２のＡＰＣフィルタ回路２７の出力が出力選択回路３３ないし３５に、第３のＡＰＣフィルタ回路２８の出力が出力選択回路３６に入力されるようになっている。なお、切替回路１９ａは、スペースサンプルパルスが入力されるように、切り替えられている。
【００６４】
このように、レーザ駆動電流制御回路６の接続を構成することで、第２のサンプルホールド回路１９がスペース位置を示すスペースサンプルパルスでサンプルホールドした発光モニタ信号M２を第２のＡＰＣフィルタ回路２７で所望の値に補正するための制御データを算出することによりレーザ駆動電流Ｉ２を補正するとともに、第３のサンプルホールド回路２０がスペース位置を示すスペースサンプルパルスでサンプルホールドした発光モニタ信号M３を第３のＡＰＣフィルタ回路２８で所望の値に補正することによりレーザ駆動電流Ｉ４を補正する。
【００６５】
図１１に示すように、ライトオン信号が再生を規定する信号である場合、スペースサンプルパルスに同期して発光モニタ信号Ｍ３がサンプルホールドされ、この発光モニタ信号Ｍ３を第３のＡＰＣフィルタ回路２８が所望の値に補正するための制御データを算出し、結果としてレーザ駆動電流Ｉ４が所望の値に補正される。
【００６６】
ここで、記録時（イレース時）に使用されるレーザ駆動電流Ｉ２は、再生時には使用されないため、保持論理回路３０は、ライトオン信号が再生を規定する信号に変化するのに同期して、ホールド信号を第２のＡＰＣフィルタ回路２７に出力し、この第２のＡＰＣフィルタ回路２７の論理を保持させ、次回記録時の初期値として保持させている。
【００６７】
一方、ライトオン信号が記録を規定する信号である場合、保持論理回路３０が、ライトオン信号が記録を規定する信号に変化するのに同期して、ホールド信号を第３のＡＰＣフィルタ回路２８に出力し、この第３のＡＰＣフィルタ回路２８の論理を保持させる。この論理の保持により、記録終了後の再生レーザー駆動電流Ｉ４の初期値を前回再生時の定常状態での値から開始することが可能となる。
【００６８】
そして、スペースサンプルパルスに同期して発光モニタ信号Ｍ２がサンプルホールドされ、この発光モニタ信号Ｍ２を第２のＡＰＣフィルタ回路２７が所望の値に補正するための制御データを算出し、結果としてレーザ駆動電流Ｉ２が所望の値に補正される。なお、この補正は、上記でレーザ駆動電流Ｉ４が次回再生時の初期値としてホールドされていることを前提になされている。
【００６９】
ここで、レーザ駆動電流Ｉ１、Ｉ２、Ｉ３は、倍率設定回路３７、３８、３９の倍率ｋ１、ｋ２、ｋ３によりＩ１：Ｉ２：Ｉ３＝ｋ１：ｋ２：ｋ３となるように設定される。なお、この倍率設定回路３６ないし３８の倍率ｋ１ないしｋ３は、既述のようにシステムコントローラ７により指示される。そして、制御パルス１ないし４がオンのとき、スイッチ回路１２ないし１５がオンし、レーザ駆動電流Ｉがレーザ駆動電流Ｉ１ないしＩ４の和として出力される。
【００７０】
図１２は、本発明の一態様である実施例１に係る光ディスク装置のレーザ駆動電流制御回路を組み換えた例５を示す図である。図１３は、発光モニタ信号、レーザ駆動電流、および、図１２のレーザ駆動電流制御回路を制御するパルス波形（ＤＶＤ−ＲＷに適用した例）を示す図である。
【００７１】
図１２に示すように、システムコントローラ７は、出力選択回路３３ないし３６を制御し、第３のＡＰＣフィルタ回路２８の出力が出力選択回路３５に、バイアス電圧保持回路２９の出力が出力選択回路３３、３４、３６に入力されるようになっている。なお、切替回路１９ａは、スペースサンプルパルスが入力されるように、切り替えられている。また、選択論理回路３１は、記録時は第２のＡＰＣフィルタ回路２７の出力を選択し再生時は第３のＡＰＣフィルタ回路２８の出力を選択するように切替回路３２を制御する。
【００７２】
このように、レーザ駆動電流制御回路６の接続を構成することで、記録時は、第２のサンプルホールド回路１９がスペースサンプルパルスでサンプルホールドした発光モニタ信号Ｍ２を第２のＡＰＣフィルタ回路２７で所望の値に補正するための制御データを算出することによりレーザ駆動電流Ｉ３を補正するとともに、再生時は、第３のサンプルホールド回路２０がスペース位置を示すスペースサンプルパルスでサンプルホールドした発光モニタ信号M３を第３のＡＰＣフィルタ回路２８で所望の値に補正するための制御データを算出することによりレーザ駆動電流Ｉ３を補正する。なお、この補正は、レーザ駆動電流Ｉ２、Ｉ４が固定されたバイアス電圧により所望の値に固定されていることを前提になされている。
【００７３】
図１３に示すように、ライトオン信号が記録を規定する信号である場合、スペースサンプルパルスに同期して発光モニタ信号Ｍ２がサンプルホールドされ、この発光モニタ信号Ｍ２を第２のＡＰＣフィルタ回路２７が所望の値に補正するための制御データを算出し、結果としてレーザ駆動電流Ｉ３が所望の値に補正される。
【００７４】
ここで、第３のＡＰＣフィルタ回路２８は記録時に使用されないため、保持論理回路３０は、ライトオン信号が再生を規定する信号に変化するのに同期して、ホールド信号を第３のＡＰＣフィルタ回路２８に出力し、この第３のＡＰＣフィルタ回路２８の論理を保持させている。
【００７５】
一方、ライトオン信号が再生を規定する信号である場合、選択論理回路３１により第３のＡＰＣフィルタ回路２８の出力が選択され、スペースサンプルパルスに同期して発光モニタ信号Ｍ３がサンプルホールドされ、この発光モニタ信号Ｍ３を第３のＡＰＣフィルタ回路２８が所望の値に補正するための制御データを算出し、結果としてレーザ駆動電流Ｉ３が所望の値に補正される。
【００７６】
ここで、第２のＡＰＣフィルタ回路２７は再生時に使用されないため、保持論理回路３０は、ライトオン信号が再生を規定する信号に変化するのに同期して、ホールド信号を第２のＡＰＣフィルタ回路２７に出力し、この第２のＡＰＣフィルタ回路２７の論理を保持させている。
【００７７】
なお、Ｉ１、Ｉ２、Ｉ４は、倍率設定回路３７、３８、４０の倍率ｋ１、ｋ２、ｋ４によりＩ１：Ｉ２：Ｉ４＝ｋ１：ｋ２：ｋ４となるように設定される。そして、制御パルス１ないし４がそれぞれオンのとき、スイッチ回路１２ないし１５がオンし、レーザ駆動電流Ｉがレーザ駆動電流Ｉ１ないしＩ４の和として出力される。
【００７８】
以上のように、本実施例に係る光ディスク装置によれば、多種類の光ディスクに対応してレーザパワーを制御し、この光ディスクに対する再生・記録を柔軟に行うことができる
【図面の簡単な説明】
【００７９】
【図１】本発明の一態様である実施例１に係る光ディスク装置の要部の構成を示す図である。
【図２】レーザダイオードの駆動電流とレーザダイオードの出射パワーの温度変化との関係を示す図である。
【図３】図１のＡＰＣフィルタ回路の要部構成およびシステムコントローラを示す図である。
【図４】本発明の一態様である実施例１に係る光ディスク装置のレーザ駆動電流制御回路を組み換えた例１を示す図である。
【図５】発光モニタ信号、レーザ駆動電流、および、図４のレーザ駆動電流制御回路を制御するパルス波形を示す図である。
【図６】本発明の一態様である実施例１に係る光ディスク装置のレーザ駆動電流制御回路を組み換えた例２を示す図である。
【図７】発光モニタ信号、レーザ駆動電流、および、図６のレーザ駆動電流制御回路を制御するパルス波形を示す図である。
【図８】本発明の一態様である実施例１に係る光ディスク装置のレーザ駆動電流制御回路を組み換えた例３を示す図である。
【図９】発光モニタ信号、レーザ駆動電流、および、図８のレーザ駆動電流制御回路を制御するパルス波形を示す図である。
【図１０】本発明の一態様である実施例１に係る光ディスク装置のレーザ駆動電流制御回路を組み換えた例４を示す図である。
【図１１】発光モニタ信号、レーザ駆動電流、および、図１０のレーザ駆動電流制御回路を制御するパルス波形を示す図である。
【図１２】本発明の一態様である実施例１に係る光ディスク装置のレーザ駆動電流制御回路を組み換えた例５を示す図である。
【図１３】発光モニタ信号、レーザ駆動電流、および、図１２のレーザ駆動電流制御回路を制御するパルス波形を示す図である。
【符号の説明】
【００８０】
１  レーザダイオード
２  ビームスプリッタ
３  対物レンズ
４  フォトディテクタ
５  ＩＶ変換回路
６  レーザ駆動電流制御回路
７  システムコントローラ
８、９、１０、１１  ＶＩ変換回路
１２、１３、１４、１５  スイッチ回路
１６  加算器
１７  ピークボトム検波回路
１８  第１のサンプルホールド回路
１９  第２のサンプルホールド回路
１９ａ  切替回路
２０  第３のサンプルホールド回路
２１  変調回路
２２  記録制御パルス生成回路
２３、２４、２５  アナログ・デジタルコンバータ
２６  第１のＡＰＣフィルタ回路
２６ａ  入力部
２６ｂ  スイッチ回路
２６ｃ  ローパスフィルタ回路
２６ｄ  オフセット回路
２６e  オフセット補正回路
２６ｆ  基準値保持回路
２６ｇ  第１の演算回路
２６ｈ  積分回路
２６ｊ  第２の演算回路
２６ｋ  出力部
２７  第２のＡＰＣフィルタ回路
２８  第３のＡＰＣフィルタ回路
２９  バイアス電圧保持回路
３０  保持論理回路
３１  選択論理回路
３２  切替回路
３３、３４、３５、３６  出力選択回路
３７、３８、３９、４０  倍率設定回路
４１、４２、４３、４４  デジタル・アナログコンバータ
１００  光ディスク装置
【図１】
2007179700.tif 000003
【図２】
2007179700.tif 000004
【図３】
2007179700.tif 000005
【図４】
2007179700.tif 000006
【図５】
2007179700.tif 000007
【図６】
2007179700.tif 000008
【図７】
2007179700.tif 000009
【図８】
2007179700.tif 000010
【図９】
2007179700.tif 000011
【図１０】
2007179700.tif 000012
【図１１】
2007179700.tif 000013
【図１２】
2007179700.tif 000014
【図１３】
2007179700.tif 000015